(57)【要約】【課題】  電子機器の動作モードを第１のモードから第２のモードに切り替える際に、これらのモードとは異なる第３のモードに設定されないようにする。【解決手段】  スライド部材(３１)が第１のポジションと第２のポジションとの間に位置する状態で、スライド部材に設けられている第１の接触部材(３１ａ)及び第２の接触部材(３１ｂ)のうち少なくとも一方が、第１の導電部(Ｐ１)及び第２の導電部(Ｐ２)のうちいずれか一方に接触するようにする。第１の導電部から入力された第１の信号に応じて第１の動作制御を行い、前記第２の導電部から入力された第２の信号に応じて第２の動作制御を行う制御手段(７１)を設ける。そして、第１の信号及び第２の信号が入力されたときに、第１の動作制御及び第２の動作制御への変更を禁止するように電子機器を制御する。【選択図】  図３  
2005116439.tif 000002
【特許請求の範囲】
【請求項１】
第１の接触部材と第２の接触部材とを有するスライド部材と、
前記スライド部材が第１のポジションに位置する状態で前記第１の接触部材及び前記第２の接触部材と接触する第１の導電部と、
前記スライド部材が第２のポジションに位置する状態で前記第１の接触部材及び前記第２の接触部材と接触する第２の導電部とを有し、
前記スライド部材が前記第１のポジションと前記第２のポジションとの間に位置する状態で、前記第１の接触部材及び前記第２の接触部材のうち少なくとも一方が、前記第１の導電部及び前記第２の導電部のうちいずれかに接触することを特徴とするスイッチ装置。
【請求項２】
第１の接触部材と第２の接触部材とを有するスライド部材と、
前記スライド部材が第１のポジションに位置する状態で前記第１の接触部材及び前記第２の接触部材と接触する第１の導電部と、
前記スライド部材が第２のポジションに位置する状態で前記第１の接触部材及び前記第２の接触部材と接触する第２の導電部と、
前記第１の導電部から入力された第１の信号に応じて第１の動作制御を行い、前記第２の導電部から入力された第２の信号に応じて第２の動作制御を行う制御手段とを有し、
前記スライド部材が前記第１のポジションと前記第２のポジションとの間に位置する状態で、前記第１の接触部材及び前記第２の接触部材のうち少なくとも一方が、前記第１の導電部及び前記第２の導電部のうちいずれか一方に接触し、
前記制御手段は、前記第１の信号及び前記第２の信号が入力されたときに、前記第１の動作制御及び前記第２の動作制御への変更を禁止することを特徴とする電子機器。
【発明の詳細な説明】
【技術分野】
【０００１】
本発明は、スイッチ装置、電子機器、特には電子カメラに使用される動作モード切り替え用スイッチ及びこれを備えた電子カメラに関する。
【背景技術】
【０００２】
図５に従来のカメラの構成を示す。１１３は撮影モードを切り替えるためのモード切替ボタンである。このモード切替ボタン１１３の内側にはモード接片１１４が取り付けられており、このモード切片１１４をバッテリーケース１０５の背面に貼り付けられた不図示のフレキシブル基板上に形成された各パターンに接触させることにより、撮影モードの切り替えが可能となっている。
【０００３】
図６にパターンとモード切片１１４との位置関係を示す。同図においてＰ１１、Ｐ１２、Ｐ１３およびＰ１４はフレキシブル基板上に形成されたパターンであり、これらのパターンのうちＰ１１およびＰ１２は不図示のコントローラのポートに接続され、Ｐ１４には回路電源が加圧されておりモード切片１１４が常に接触した状態となっている。Ｐ１３はどこにも接続されていない。
【０００４】
そして、モード切片１１４のコンタクト部１１５がP１１に接触している場合にはPLAY（再生）モードに、Ｐ１２に接触している場合にはMOVIE（動画撮影）モードにカメラの撮影モードが切り替わるように構成されている。
【０００５】
また、コンタクト部１１５がＰ１３に接触しているか、カバーをはずしていたりごみがついたりしてモード切片１１４がＰ１４に接触していない場合にはREC（撮影）モードになるように設定されている。
【発明の開示】
【発明が解決しようとする課題】
【０００６】
ところで図７に示すように、コンタクト部１１５がＰ１１とＰ１２の間に位置して、いずれのパターンにも接触していない状態が起こりうる。この場合、従来例のカメラではカメラの動作モードがREC（撮影）モードになる。そのため、PLAY（再生）モードからMOVIE（動画撮影）モードにカメラの動作モードを切り替える場合、あるいはMOVIE（動画撮影）モードからPLAY（再生）モードにカメラの動作モードを切り替える場合に、瞬間的にREC（撮影）モードになってしまい、撮影者が意図しないモードに設定されてしまうという問題があった。
【課題を解決するための手段】
【０００７】
上記課題を解決するために、本願第１の発明にかかるスイッチ装置は、第１の接触部材と第２の接触部材とを有するスライド部材と、スライド部材が第１のポジションに位置する状態で第１の接触部材及び第２の接触部材と接触する第１の導電部と、スライド部材が第２のポジションに位置する状態で第１の接触部材及び第２の接触部材と接触する第２の導電部とを有し、スライド部材が第１のポジションと第２のポジションとの間に位置する状態で、第１の接触部材及び第２の接触部材のうち少なくとも一方が、第１の導電部及び第２の導電部のうちいずれかに接触することを特徴としている。
【０００８】
また、本願第２の発明に係る電子機器は、第１の接触部材と第２の接触部材とを有するスライド部材と、スライド部材が第１のポジションに位置する状態で第１の接触部材及び第２の接触部材と接触する第１の導電部と、スライド部材が第２のポジションに位置する状態で第１の接触部材及び第２の接触部材と接触する第２の導電部と、第１の導電部から入力された第１の信号に応じて第１の動作制御を行い、第２の導電部から入力された第２の信号に応じて第２の動作制御を行う制御手段とを有し、スライド部材が第１のポジションと第２のポジションとの間に位置する状態で、第１の接触部材及び第２の接触部材のうち少なくとも一方が、第１の導電部及び第２の導電部のうちいずれか一方に接触し、制御手段は、第１の信号及び第２の信号が入力されたときに、第１の動作制御及び第２の動作制御への変更を禁止することを特徴としている。
【発明の効果】
【０００９】
本願第１の発明によれば、スライド部材が第１のポジションと第２のポジションとの間に位置する状態で、第１の接触部材及び第２の接触部材のうち少なくとも一方が、第１の導電部及び第２の導電部のうちいずれか一方に接触するようになっている。これにより、第１のポジションと第２のポジションとの間でスライド部材をスライド移動させる際に、少なくとも１つの導電部は必ず第１の接触部材又は第２の接触部材に接触するため、第１の接触部材及び第２の接触部材のうち少なくとも一方の接触部材から電気信号を出力させることが可能となる。
【００１０】
また、本願第２の発明によれば、制御手段によって、第１の信号及び第２の信号が入力されたときに、第１の動作制御及び第２の動作制御への変更を禁止することができる。これにより、電子機器が使用者の意図しない動作をするのを防止することができる。
【発明を実施するための最良の形態】
【００１１】
以下に本発明の実施例について説明する。
【００１２】
図１、図２に本実施例を適用したカメラの内部構造を示す。
【００１３】
これらの図において、１はカメラの正面側（カメラの側面の一部を含む）を覆うフロントカバーであり、２はカメラの背面側（カメラの側面の一部を含む）を覆うリアカバーである。これらのカバー１、２は、ステンレス等の薄板で構成されている。
【００１４】
３はサイドカバーであり、フロントカバー１およびリアカバー２に装着され、フロントカバー１およびリアカバー２の一部、すなわち、カメラ本体の一方の側面（カメラ正面向かって右側の側面）と、上面および下面の一部を覆うようになっている。
【００１５】
４は撮影レンズ等を保持するレンズ鏡筒であり、光軸方向に繰り出したり繰り込んだりすることによって、撮影光学系の焦点距離を変更する。撮影光学系によって形成された被写体像は、ＣＣＤやＣＭＯＳイメージセンサ等の撮像素子（不図示）によって光電変換される。そして、撮像素子から出力された画像データは、画像処理回路で画像処理（色処理等）された後、カメラ内に収納された記録媒体に記録されたり、後述するＬＣＤパネル２６に出力されて被写体画像として表示されたりする。
【００１６】
レンズ鏡筒４は、カメラ本体に対して右側に片寄った位置に配置されている。
【００１７】
５はストラップ（不図示）を取り付けるためのストラップリングであり、フロントカバー１のうちカメラ正面向かって左側に設けられている。
【００１８】
フロントカバー１およびリアカバー２には、スピーカー穴部１ａ、２ａが形成されており、このスピーカー穴部１ａ、２ａのうち一部の穴部は、カバー１、２に対して貫通しており、他の穴部はカバー１、２の内側に突出した形状に形成されている。
【００１９】
６はベース部材であり、カメラ内に配置される各種の部品を保持する。７はバッテリー保持部材であり、カメラ内に挿入されるバッテリー８を保持する。ここで、バッテリー保持部材７およびベース部材６によってバッテリー８が収納されるスペース（バッテリーケース）が形成される。
【００２０】
バッテリー保持部材７の端部には、蓋部材９および蓋スライド部材１０とで構成される蓋ユニット１１が、軸１１ａ、１１ｂを介して回転可能に取り付けられている。すなわち、バッテリーケース内にバッテリー８を収納する場合には、まず蓋スライド部材１０を所定方向にスライド操作し、蓋部材９を軸１１ａ、１１ｂを回転軸として回転させることで、バッテリーケースの開口部を開くことができる。この状態で、バッテリー８をバッテリーケース内に収納し、蓋ユニット１１を閉じればバッテリー８の収納動作は終了する。
【００２１】
バッテリー保持部材７の上部には、操作フレキ基板１２と、特定の音声（例えば、操作音や動画撮影時の音声）を発するスピーカー１３が配置されている。操作フレキ基板１２には、撮影準備動作（撮影光学系の焦点調節動作および測光動作等）および撮影動作（撮像素子から読み出された画像データの記録）を開始させるためのレリーズＳＷ１２ａと、カメラの電源をON/OFFするための電源ＳＷ１２ｂが実装されている。
【００２２】
スピーカー１３の上方には、弾性を有するウレタンフォームなどの緩衝部材１４およびカメラ外部からスピーカー１３への水の浸入を防止する撥水シート１５が配置されており、これらの部材１４、１５はスピーカー保持部材１６によってバッテリー保持部材７に固定される。
【００２３】
レリーズボタン１８および電源ボタン１９は、不図示のばね部材を介してボタン保持部材１７に保持されている。このボタン保持部材１７は、ベース部材６の腕部６ａおよびスピーカー保持部材１６によって操作フレキ１２の上部に固定されている。
【００２４】
２０は、バッテリー８の接片８ａ〜８ｃを保持する接片保持部材であり、この接片保持部材２０に形成された爪部がバッテリー保持部材７に係合することによって、バッテリー保持部材７に固定される。
【００２５】
２１はストロボ保持部材であり、被写体に照明光を照射する発光部２１ａと、発光部２１ａの背面側に配置され、照明光を照射させる際のエネルギを蓄積するコンデンサ２４とを保持する。このストロボ保持部材２１は、ベース部材６に固定される。
【００２６】
また、ストロボ保持部材２１のうち発光部２１ａからカメラ下側に延びる領域には、ストロボ回路および電源回路が実装されたフレキ基板２２が固定されている。このフレキ基板２２は、ストロボ保持部材２１に対してカメラ前後方向に配置され、各種の電気部品が実装される基板部と、これらの基板部をつなぐフレキ部とで構成されている。そして、フレキ保護部材２３は、フレキ基板２２のフレキ部を覆うように配置されている。
【００２７】
一方、フレキ基板２２の基板部のうちカメラ前側に位置する基板部は、この一端において、接片保持部材２０に保持されたバッテリー８の接片に接続されており、バッテリー８からの電力を直接電源回路に入力するように構成されている。なお、フレキ保護部材２３の一部の領域２３ａはバネ性を有しており、後述するようにサイドカバー３を組み付けた際に、サイドカバー３に対して付勢した状態で接触する。これにより、フレキ保護部材２３は、カメラの外部からサイドカバー３に加えられた衝撃をフレキ基板２２に伝達させることなく、フレキ基板２２を保護する役割を果たす。
【００２８】
２５は、ＬＣＤパネル２６およびＬＣＤ表示用の不図示のバックライトを保持するためのＬＣＤホルダーであり、引っ掛け部２５ａおよび不図示のビスによってベース部材６に固定される。なお、ＬＣＤパネル２６は、フレキシブルプリント配線基板２６ａを介して後述するメイン基板２７に実装されたコントローラに接続されており、コントローラからの出力に基づいて撮影情報や撮影画像といったデータを表示する。
【００２９】
ＬＣＤホルダー２５の一端に形成された突部２５ｂは、ばね性を有しており、リアカバー２に接触するように構成されている。これにより、リアカバー２とベース部材６の通電性を確保している。ここで、リアカバー２には、ＬＣＤパネル２６をカメラ外部に露出させる穴部２ｂが形成されている。
【００３０】
２７は、後述するカメラのコントローラや画像処理回路等が実装されたメイン基板であり、ビス２８ａ、２８ｂによってベース部材６に固定されるとともに、ビス２８ｃによってフレキ保護部材２３とともにストロボ保持部材２１に固定される。これによりフレキ保護部材２３を介してメイン基板２７とサイドカバー３の通電が確保される。
【００３１】
２９はモード切替ボタンであり、カメラ本体の左右方向にスライド操作することによってカメラの動作モードを切り替えることができる。具体的には、静止画撮影モード（ＲＥＣ ＭＯＤＥ）、動画撮影モード（ＭＯＶＩＥ ＭＯＤＥ）、再生モード（ＰＬＡＹ ＭＯＤＥ）のモード選択を行うことができる。
【００３２】
モード切替ボタン２９は、取り付け部材３０によってリアカバー２にスライド動作可能な状態で取り付けられており、モード切替ボタン２９のうちリアカバー２の内側に位置する部分には、モード接片３１がネジによって固定されている。このモード切片３１の先端部は、第１のモード切片３１ａと第２のモード切片３１ｂとに分岐しており(図３参照)、これらのモード切片３１ａ、３１ｂが操作フレキ１２に形成された後述する各パターンに接触するように構成されている。
【００３３】
図３にパターンとモード接片との関係を示す。具体的には、(a)は再生(PLAY )モード,(b)は動画撮影(MOVIE)モードである時の、モード切片３１の位置を示している。
【００３４】
同図においてＰ１には再生モードパターンが形成されており、Ｐ２には動画撮影モードパターンが形成されている。
【００３５】
また、Ｐ１及びＰ２はパターンが重複するように略L字状のパターン形状をしている。
【００３６】
Ｐ４には回路電源が加圧されており、モード接片３１が常に接触している。Ｐ３はどこにも接続されていない。
【００３７】
パターンＰ１及びＰ２は、コントローラ７１のポートに接続されており、モード切片３１がこれらの各パターンに接触することにより、コントローラ７１に電気信号が流れるようになっている。
【００３８】
コントローラ７１に電気信号が入力されない場合(第１のモード切片３１ａ及び第２のモード切片３１ｂがＰ３に接触している場合(図１(ｃ)参照)、ごみなどが付着することによりモード切片３１のＰ４に対する電気的接触が絶たれている場合、第１のモード切片３１ａ及び第２のモード切片３１ｂがＰ１、Ｐ２及びＰ３と非接触である場合)には、カメラの動作モードは、静止画撮影モードに設定される。
【００３９】
次に、図４を参照して、モード切片３１の位置に応じたカメラの動作制御について説明する。図４は、コントローラ７１によって実行されるカメラの動作制御を説明するためのフローチャートである。
【００４０】
ステップ１では、Ｐ１から電気信号が入力されたかどうかが判断され、電気信号が入力された場合にはステップ２に進む。ステップ２では、Ｐ２から電気信号が入力されたかどうかが判断され、電気信号が入力された場合には、再生モードに設定され(ステップ３)、電気信号が入力されなかった場合には、モード切替を行わない(ステップ４)。
【００４１】
すなわち、図３(ｄ)に示すように、第１のモード切片３１ａと第２のモード切片３１ｂがそれぞれ、Ｐ１とＰ２に接触し、Ｐ１及びＰ２から電気信号が入力された場合には、モード切替を行わないようにしている。これにより、例えば、モード切替ボタン２９を操作して、再生モードから動画撮影モードに切り替える際に、コントローラ７１への電流が絶たれて、静止画撮影モードに切り替わってしまうのを防止することができる。
【００４２】
ステップ１において、Ｐ１から電気信号が入力されなかった場合には、ステップ５に進みＰ２から電気信号が入力されたかどうかが判断される。そして、Ｐ２から電気信号が入力された場合には、動画撮影モードに設定され(ステップ６)、Ｐ２から電気信号が入力されなかった場合には、静止画撮影モードに設定される(ステップ７)。
【００４３】
３２はカメラ本体の下面に配置された三脚ねじ座であり、不図示の三脚に設けられたねじと係合するネジ穴部を有している。この三脚ねじ座３２は、ビス３２ａ、３２ｂによってベース部材６に固定される。
【００４４】
３３、３４ａ、３４ｂは操作ボタンであり、操作ボタンベース部材３５に貼り付けられている。操作ボタン３３はいわゆる十字ボタンで構成されており、この十字ボタンを操作することにより、例えば、ＬＣＤパネル２６に表示された情報を上下左右方向で切り換えることができる。ここで、リアカバー２には、操作ボタン３３、３４ａ、３４ｂをカメラ外部に露出させる穴部２ｃが形成されている。
【００４５】
操作ボタンベース部材３５のうち各操作ボタン３３、３４ａ、３４ｂに対応する領域には、導電部材が貼り付けてあり、操作ボタン３３、３４ａ、３４ｂを押すと導電部材が操作フレキ１２上のパターンに接触して通電するように構成されている。この信号は制御回路に入力され、制御回路は入力信号に応じた動作を行う。
【００４６】
操作フレキ１２および操作ボタンベース部材３５は、ベース部材６に設けられた不図示のボスによってそれぞれの相対的な位置がずれないように位置決めがなされている。
【００４７】
３６はジャック基板であり、不図示の外部機器（例えば、ＰＣ、プリンタおよびＴＶ）と映像や音声を通信するためのジャックおよびＵＳＢコネクターが実装されている。
【００４８】
次に、ベース部材６に上述した各種の部材を取り付けて構成された構造ユニットを、フロントカバー１、リアカバー２およびサイドカバー３で覆ってカメラを組み立てる工程について説明する。
【００４９】
ベース部材６に固定された各種の部材の位置調整を行った後、フロントカバー１およびリアカバー２を取り付ける。具体的には、まず、カメラ本体の前面側をフロントカバー１で覆い、フロントカバー１をビス３７によってベース部材６に固定する。このとき、スピーカー穴部１ａのうちフロントカバー１の内側に突出した突起部(不図示)が開口部１６のふち１６ａに引っ掛かる。
【００５０】
また、フロントカバー１には、発光部２１ａが貫通する穴部１ｃが形成されており、フロントカバー１をカメラ本体に取り付けた状態で、発光部２１ａの前面がフロントカバー１の前面に露出する。ここで、発光部２１ａの前面のうちカメラ下側の領域は、フロントカバー１の表面と連続した面で構成され、発光部２１ａの前面のうちカメラ上側の領域は、フロントカバー１の表面から突出するようになっている。
【００５１】
次に、カメラ本体の背面側をリアカバー２で覆い、リアカバー２をビス３８によってベース部材６に固定する。このとき、スピーカー穴部２ａのうちリアカバー２の内側に突出した突起部(不図示)が、開口部１６のふち１６ｂに引っ掛かる。
【００５２】
フロントカバー１およびリアカバー２をカメラ本体に取り付けた後、カバー１、２に対してサイドカバー３を発光ユニット２１側からカメラ本体の横方向にスライドさせることで、サイドカバー３を組み込み固定する。これにより、カメラの組み立てが終了する。
【図面の簡単な説明】
【００５３】
【図１】本発明の実施例であるカメラの前方分解斜視図
【図２】本発明の実施例であるカメラの後方分解斜視図
【図３】本発明の実施例であるカメラのモード切替に使用されるスイッチ装置を示した図
【図４】本発明の実施例であるカメラの動作モードの制御手順を説明したフローチャート
【図５】従来例のカメラの前方分解斜視図
【図６】従来例のカメラのモード切替に使用されるスイッチ装置を示した図
【図７】従来例のカメラのモード切替に使用されるスイッチ装置を示した図
【符号の説明】
【００５４】
１  フロントカバー
２  リアカバー
３  サイドカバー
４  鏡筒
５  ストラップリング
６  ベース部材
７  バッテリー保持部材
８  バッテリー
９  ふた部材
１０  ふたスライド部材
１１  軸
１２  操作フレキ
１３  スピーカー
１４  緩衝部材
１５  撥水シート
１６  スピーカー保持部材
１７  ボタン保持部材
１８  レリーズボタン
１９  電源ボタン
２０  接片保持部材
２１  ストロボ保持部材
２２  フレキ基板
２３  フレキ保護部材
２４  ストロボコンデンサー
２５  LCDホルダー
２６  LCDパネル
２７  メイン基板
２８  ビス
２９  モード切替ボタン
３０  モード切替ボタン取り付け部材
３１  モード接片
７１  コントローラ
【図１】
2005116439.tif 000003
【図２】
2005116439.tif 000004
【図３】
2005116439.tif 000005
【図４】
2005116439.tif 000006
【図５】
2005116439.tif 000007
【図６】
2005116439.tif 000008
【図７】
2005116439.tif 000009